(57)【特許請求の範囲】
【請求項１】
上面が開放され、その内部に電子機器が密閉収納される密閉収納室を有するケース本体と、上記開放面を塞ぐように取り付けられるケースカバーとを有し、上記ケース本体には、上記電子機器が載置される底板を備え、上記ケースカバーには、上記電子機器を上記密閉収納室内に密閉収納した状態で上記電子機器の操作面を操作するための操作窓が上記底板に対向するように配置されている電子機器収納ケースにおいて、
上記操作窓には、伸縮性を有するシート材からなり、上記電子機器の操作面を操作する操作パネルが設けられており、
上記ケース本体には、上記底板の一部を受け止める段差面が設けられており、上記段差面と上記底板との間に、上記ケースカバーを上記ケース本体に取り付けたときに、上記密閉収納室に収納されている上記電子機器の操作面を上記操作パネルへと密着させるとともに、上記ケースカバー側から上記電子機器を介して加えられる押圧力の一部を吸収するように変形し、上記電子機器の操作面との密着により上記操作パネルへと加えられる張力を緩和するクッション手段が設けられていることを特徴とする電子機器収納ケース。
【請求項２】
上面が開放され、その内部に電子機器が密閉収納される密閉収納室を有するケース本体と、上記開放面を塞ぐように取り付けられるケースカバーとを有し、上記ケース本体には、上記電子機器が載置される底板を備え、上記ケースカバーには、上記電子機器を上記密閉収納室内に密閉収納した状態で上記電子機器の操作面を操作するための操作窓が上記底板に対向するように配置されている電子機器収納ケースにおいて、
上記操作窓には、伸縮性を有するシート材からなり、上記電子機器の操作面を操作する操作パネルが設けられており、
上記底板が２枚の底板メンバーからなり、上記各底板メンバーの間に、上記ケースカバーを上記ケース本体に取り付けたときに、上記密閉収納室に収納されている上記電子機器の操作面を上記操作パネルへと密着させるとともに、上記ケースカバー側から上記電子機器を介して加えられる押圧力の一部を吸収するように変形し、上記電子機器の操作面との密着により上記操作パネルへと加えられる張力を緩和するクッション手段が設けられていることを特徴とする電子機器収納ケース。
【請求項３】
上記クッション手段には、発泡体シート材が含まれていることを特徴とする請求項１または２に記載の電子機器収納ケース。
【請求項４】
上記クッション手段には、ばね部材が含まれていることを特徴とする請求項１または２に記載の電子機器収納ケース。
【請求項５】
上記ケースカバーは、その内周面が上記ケース本体の外周面に沿って互いに重なり合うように取り付けられ、上記ケース本体の外周面には、上記ケースカバーの開放端縁を受け止めるとともに、上記密閉収納室内への水の浸入を防止する第１シール部が設けられ、上記ケース本体の開放端縁と上記ケースカバーとの間には、上記密閉収納室内への水の浸入を防止する第２シール部が設けられており、上記密閉収納室内への水の浸入を２重で防止するようになっていることを特徴とする請求項１ないし４のいずれか１項に記載の電子機器収納ケース。
【請求項６】
請求項１ないし５のいずれか１項に記載の電子機器収納ケースにスピーカユニットを組み込んでなることを特徴とするスピーカ。
【発明の詳細な説明】
【技術分野】
【０００１】
本発明は、スマートフォンなどの電子端末機器を風呂場やキッチンなどの水場で用いる際に使用される電子機器収納ケースに関し、さらに詳しく言えば、より操作性が良好で、破損しにくい電子機器収納ケースに関する。
【背景技術】
【０００２】
例えばスマートフォンや携帯音楽プレーヤは、単なる電話機や音楽プレーヤとしての機能だけでなく、最近では、その多くがネットワーク接続機能を備えており、インターネットを経由して動画を見たり、音楽をダウンロードしたり、ゲームなどができるようになっている。
【０００３】
ところで、これら電子機器は極めて水や埃に弱いため、風呂場や水場などの高湿潤環境で使用することはできるだけ避けることが好ましい。そこで、このような水回りで電子機器を操作することができる電子機器収納ケースが提供されている。
【０００４】
例えば特許文献１では、電子機器を収納するケース本体を有し、ケース本体の開口部にカバーを取り付けることで、ケース本体内に密閉された収納空間が形成されるようになっている。カバーには、密閉された状態の電子機器を操作するための柔軟で伸縮性のある伸縮性シートが張設されており、伸縮性シートを電子機器の操作面に沿って密着させることで、電子機器が操作できるようになっている。
【０００５】
この伸縮性シートは、透明なものが多く、電子機器のタッチパネル式の液晶表示面やボタンなどが視認できるようになっている。また、これら電子機器収納ケースにさらにスピーカユニットを組み込んで、音を出せるようにしたものも提供されている。
【０００６】
従来、この伸縮性シートは電子機器を固定するため、電子機器の厚さをＴ１、底板から伸縮性シートまでの距離をＬ１としたとき、伸縮性シートは、Ｌ１＜Ｔ１となるように配置されている。これにより、伸縮性シートは電子機器の操作面に確実に密着するため、電子機器の動きを固定することができる。
【０００７】
しかしながら、この固定方法には次のような問題があった。すなわち、伸縮性シートは、電子機器の厚さＴよりも底板からの距離が小さい位置に配置されているため、必然的に初期状態よりも引き延ばされることになるが、あまりにも過度に引き延ばされたり、この状態が繰り返されると、伸縮性シートが変形や劣化したり、破損するおそれがあるため、好ましくない。
【０００８】
また、大きな張力が伸縮性シートに掛かると、伸縮性シートを固定するカバーの枠にも大きな負荷が加わり、破損や水の浸入などのおそれがあるため、好ましくない。このような伸縮性シートの過度の引き延ばしを防止する方法の１つとして、より伸縮性シートの面積を大きく取り、電子機器との接触面積に対して非接触部分を多くする方法があるが、必然的にケース全体が大きくなり、その結果、取り扱いに不便である。
【先行技術文献】
【特許文献】
【０００９】
【特許文献１】特開２０１０−９８１６１号公報
【発明の概要】
【発明が解決しようとする課題】
【００１０】
そこで、本発明は上述した課題を解決するためになされたものであって、その目的は、伸縮性シートの過度の引き延ばしを防止でき、かつ、小型の電子機器収納ケースを提供することにある。
【課題を解決するための手段】
【００１１】
上述した目的を達成するため、本発明は以下に示すいくつかの特徴を備えている。請求項１に記載の発明は、上面が開放され、その内部に電子機器が密閉収納される密閉収納室を有するケース本体と、上記開放面を塞ぐように取り付けられるケースカバーとを有し、上記ケース本体には、上記電子機器が載置される底板を備え、上記ケースカバーには、上記電子機器を上記密閉収納室内に密閉収納した状態で上記電子機器の操作面を操作するための操作窓が上記底板に対向するように配置されている電子機器収納ケースにおいて、
上記操作窓には、伸縮性を有するシート材からなり、上記電子機器の操作面を操作する操作パネルが設けられており、上記ケース本体には、上記底板の一部を受け止める段差面が設けられており、上記段差面と上記底板との間に、上記ケースカバーを上記ケース本体に取り付けたときに、上記密閉収納室に収納されている上記電子機器の操作面を上記操作パネルへと密着させるとともに、上記ケースカバー側から上記電子機器を介して加えられる押圧力の一部を吸収するように変形し、上記電子機器の操作面との密着により上記操作パネルへと加えられる張力を緩和するクッション手段が設けられていることを特徴としている。
【００１２】
また、請求項２に記載の発明は、上面が開放され、その内部に電子機器が密閉収納される密閉収納室を有するケース本体と、上記開放面を塞ぐように取り付けられるケースカバーとを有し、上記ケース本体には、上記電子機器が載置される底板を備え、上記ケースカバーには、上記電子機器を上記密閉収納室内に密閉収納した状態で上記電子機器の操作面を操作するための操作窓が上記底板に対向するように配置されている電子機器収納ケースにおいて、
上記操作窓には、伸縮性を有するシート材からなり、上記電子機器の操作面を操作する操作パネルが設けられており、上記底板が２枚の底板メンバーからなり、上記各底板メンバーの間に、上記ケースカバーを上記ケース本体に取り付けたときに、上記密閉収納室に収納されている上記電子機器の操作面を上記操作パネルへと密着させるとともに、上記ケースカバー側から上記電子機器を介して加えられる押圧力の一部を吸収するように変形し、上記電子機器の操作面との密着により上記操作パネルへと加えられる張力を緩和するクッション手段が設けられていることを特徴としている。
【００１３】
請求項３に記載の発明は、上記請求項１または２において、上記クッション手段には、発泡体シート材が含まれていることを特徴としている。
【００１４】
請求項４に記載の発明は、上記請求項１または２において、上記クッション手段には、ばね部材が含まれていることを特徴としている。
【００１８】
請求項５に記載の発明は、上記請求項１ないし４のいずれか１項において、上記ケースカバーは、その内周面が上記ケース本体の外周面に沿って互いに重なり合うように取り付けられ、上記ケース本体の外周面には、上記ケースカバーの開放端縁を受け止めるとともに、上記密閉収納室内への水の浸入を防止する第１シール部が設けられ、上記ケース本体の開放端縁と上記ケースカバーとの間には、上記密閉収納室内への水の浸入を防止する第２シール部が設けられており、上記密閉収納室内への水の浸入を２重で防止するようになっていることを特徴としている。
【００１９】
本発明には、請求項１ないし５のいずれか１項に記載の電子機器収納ケースにスピーカユニットを組み込んでなるスピーカも含まれる。
【発明の効果】
【００２０】
請求項１に記載の発明によれば、ケース本体に設けられている段差面と底板との間に、好ましくは請求項３，４に記載のクッション手段を備え、また、請求項２に記載の発明によれば、底板を２枚の底面板メンバーとし、それら底面板メンバーの間に、好ましくは請求項３，４に記載のクッション手段を備えたことにより、電子機器や操作パネルに負荷がかかり過ぎて破損したりすることを防止することができる。
【００２５】
請求項５に記載の発明によれば、ケースカバーは、その内周面がケース本体の外周面に沿って互いに重なり合うように取り付けられ、ケース本体の外周面には、ケースカバーの開放端縁を受け止めるとともに、密閉収納室内への水の浸入を防止する第１シール部が設けられ、ケース本体の開放端縁とケースカバーとの間には、密閉収納室内への水の浸入を防止する第２シール部を設けることにより、密閉収納室内への水の浸入を２重で防止することができる。
【００２６】
請求項６に記載の発明によれば、電子機器収納ケースにスピーカーユニットを組み込むことにより、風呂場や水回りなどで電子機器の操作を行うことができるばかりでなく、音楽再生や動画の視聴などを行うことができる。
【図面の簡単な説明】
【００２７】
【図１】本発明の一実施形態に係る電子機器収納ケース（スピーカ）の斜視図。
【図２】上記電子機器収納ケースのケースカバーを開いた状態の斜視図。
【図３】上記電子機器収納ケースの（ａ）正面図、（ｂ）背面図、（ｃ）右側面図、（ｄ）平面図および（ｅ）底面図。
【図４】図３（ａ）のＡ−Ａ線断面図。
【図５】図３（ａ）のＢ−Ｂ線断面図。
【図６】ロック部とシール構造を説明するための部分拡大断面図。
【図７】（ａ）クッション手段の第１変形例を説明するための断面図，（ｂ）上記第１変形例の変形例を説明するための断面図。
【図８】クッション手段の第２変形例を説明するための断面図。
【図９】（ａ）本発明のクッション手段の作用効果を説明するための説明図、（ｂ）第１変形例のクッション手段の作用効果を説明するための説明図および（ｃ）第２変形例のクッション手段の作用効果を説明するための説明図。
【発明を実施するための形態】
【００２８】
次に、本発明の実施形態について図面を参照しながら説明するが、本発明はこれに限定されるものではない。
【００２９】
図１〜図５に示すように、この電子機器収納ケース１は、電子機器Ｅを収納するケース本体２と、同ケース本体２に取り付けられるケースカバー３とを備えている。この実施形態において、電子機器収納ケース１は、内部に図示しないスピーカ駆動ユニットを備えたスピーカである。
【００３０】
また、本発明において、ケース本体２には、例えばスマートフォンやＰＤＡ、携帯電話などの携帯通信端末や携帯音楽プレーヤ（ＤＡＰ）などの電子機器Ｅが収納されるが、これ以外に小型のテレビやポータブルナビゲーション装置（ＰＮＤ）などの各種電子機器も収納することができる。
【００３１】
ケース本体２は、合成樹脂の成型品からなり、一方の面（図４では上面）が開放された箱形に形成されている。ケース本体２は、その内部が電池や回路基板などが収納される電装品室２１と、電子機器Ｅが収納される密閉収納室２２とに区画されている。
【００３２】
電装品室２１は、内部に電池Ｂが収納される電池ケースと、電子機器収納ケース１をスピーカとして用いるためのスピーカ駆動ユニットと、これらを制御するための電子回路基板（ともに図示しない）などが収納されている。
【００３３】
ケース本体２の背面（図３（ｂ））には、電池ケースの電池Ｂを交換する際に用いられる電池蓋２３と、スピーカユニットからの出た音を外部に向けて放音する放音部ＳＰとが設けられている。電池蓋２３および放音部ＳＰはともに、電装品室２１内に水が入り込まないように耐水処理が施されている。
【００３４】
スピーカ駆動ユニットには、駆動用回路、スピーカー、電池に加えて、接続用のコネクタケーブル（図示しない）が含まれている。コネクタケーブルは、電子機器Ｅ側に設けられたイヤホンジャックに接続されるステレオジャックコネクタであって、電装品室２１から底板２４を介して密閉収納室２２内に引き出されている。
【００３５】
この例において、コネクタはイヤホンジャックコネクタのみが設けられているが、これ以外に、ＵＳＢコネクタなどをさらに備えていてもよく、本発明において、接続コネクタの形状や数などは、仕様に応じて任意に選択されてよい。
【００３６】
さらには、スピーカ駆動回路に加えて、Ｂｌｕｅｔｏｏｔｈ（登録商標）接続用の回路をさらに設けてもよい。これによれば、電子機器Ｅとスピーカ駆動回路との間の通信を無線で行うことができ、電子機器収納ケース１内に電子機器Ｅを収納することなく、音楽再生を行うことができる。このような態様も本発明に含まれてよい。
【００３７】
ここで、本明細書で言う「耐水」とは、少なくとも防水、防滴、防雨、防沫、防噴流、防浸特性のいずれか１つもしくは複数を備えたものをいい、より具体的には、ＪＩＳにおいて定義された防水規格である水の浸入に対する保護等級ＩＰＸの少なくとも１級（防滴１）〜６級（耐水）、より好ましくは７級（防浸）、さらに好ましくは８級（水中）に準拠した耐水特性のいずれか１つもしくは複数を備えることをいう。
【００３８】
ケース本体２の内部には、電装品室２１と密閉収納室２２とを仕切る底板２４が設けられている。底板２４は、合成樹脂製の板体であって、ケース本体２の内周面から内側に向けて張り出された段差面２４１によって支持されている。
【００３９】
底板２４の一方の面（図４では上面）には、電子機器Ｅが載置されるクッションシート２５が設けられている。この例において、クッションシート２５は、衝撃吸収性を有するスポンジシートからなり、電子機器Ｅを載置した際に、その押圧方向への押圧力を許容するようになっている。
【００４０】
この例において、クッションシート２５は、例えば低反発ポリウレタンなどのスポンジシートが用いられているが、押圧力に応じて電子機器Ｅの形状に合わせて変形する伸縮性と、かつ、無負荷状態において再び元の形状に復元可能な弾性復元力とを備えた材質であれば、仕様に応じて任意に選択されてよい。
【００４１】
また、クッションシート２５は、底板２４の全面にわたって貼着されているが、これ以外に、底板２４の平面上にスジ状や島状に設けてもよく、電子機器Ｅを底板２４に沿って水平な状態に載置することが可能であれば、その形状は任意に選択されてよい。
【００４２】
これによれば、図９（ａ）に示すように、密閉収納室２２に電子機器Ｅを収納した状態でケースカバー３を取り付けた場合、ケースカバー３が電子機器Ｅを底板２４側に押し付ける押圧力をクッションシート２５が変形して許容することにより、後述するケースカバー３の伸縮性シート３３が引き延ばされ過ぎることを防止することができる。
【００４３】
この例において、クッションシート２５は、底板２４の電子機器Ｅが載置される密閉収納室２２側に設けられているが、これ以外の方法としては、図７に示すように、底板２４の背面側（図７（ａ）では電装品室２１側）に設けてもよい。すなわち、底板２４を支持する段差面２４１と、底板２４との間には、クッションシート２５が設けられている。このような態様も本発明に含まれる。
【００４４】
これによれば、図９（ｂ）に示すように、電子機器Ｅがケースカバー３によって下に押し付けられたとしても、段差面２４１と底板２４との間に介在されたクッションシート２５が変形することで、押圧力が吸収されることになり同様の作用効果が得られる。
【００４５】
また、これとは別に、図７（ｂ）に示すように、底板２４を２枚の底板メンバー２４ａ，２４ｂに分け、底板メンバー２４ａ，２４ｂの間にクッション手段としてのバネ部材２４ｃを設けることにより、底板２４にクッション性を持たせるようにしてもよい。
【００４６】
さらに別の態様としては、底板２４自体を柔軟な伸縮性シートで形成する方法もある。すなわち、図８に示すように、この底板２４は、後述するケースカバー３の伸縮性シート３３と同様の伸縮性シートを用い、これら２枚の伸縮性シート２４，３３とで電子機器Ｅを両面から挟むように支持してもよい。
【００４７】
これによれば、図９（ｃ）に示すように、電子機器Ｅの両面を挟むようにして伸縮性シート２４，３３によって支持されるため、押圧方向への押圧力を逃がすことができ、伸縮性シートが引き延ばされすぎるのを防止することができる。
【００４８】
再び図１〜図３を参照して、ケース本体２の外周面にはさらに、電子機器収納ケース１を自立した状態で立て掛けるためのスタンド２６が設けられている。図３（ｂ）および（ｃ）に示すように、スタンド２６は、両端がケース本体２の両側面に回動可能に取り付けられたアーチ状を呈し、ケース本体２の外周面に沿って収納されている。
【００４９】
この例において、スタンド２６は、ケース本体２の外周に沿って回動可能に格納されているが、ケース本体２の背面などに設けられていてもよく、本発明において、スタンド２６は任意的事項である。
【００５０】
ケース本体２の外周面には、ケースカバー３を取り付けた際に密閉収納室２２内への水の浸入を防止するための第１シール部２７が設けられている。第１シール部２７は、ケース本体２の外周面に沿って形成された第１シール溝２７１と、同第１シール溝２７１に嵌合された第１シールリング２７２とからなる。
【００５１】
図６を併せて参照して、第１シール溝２７１は、ケース本体２の外周面に沿って環状に形成されており、上面側に向かって開放されている。第１シールリング２７２は、例えばゴムパッキンなどのシール材からなり、第１シール溝２７１の全周にわたって嵌合されている。
【００５２】
この例において、第１シールリング２７２は、ゴムパッキンからなるが、例えばシリコンシーラントなどを第１シール溝２７１内に充填したものであってもよく、密閉収納室２２内への水の浸入を防止する構造が形成されれば、仕様に応じて任意に選択されてよい。
【００５３】
次に、図１〜図６を参照しながら、ケースカバー３について説明する。ケースカバー３は、中央に電子機器Ｅを操作するための操作窓３２を有するフレーム３１と、同フレーム３１の操作窓３２に沿って張設される操作パネルとしての伸縮性シート３３とを備えている。
【００５４】
フレーム３１は、内周面がケース本体２の外周面に沿って重なるように被せられる矩形形状を呈し、先端が第１シール部２７に当接するように形成されている。図４に示すように、フレーム３１の操作窓３２側の端部は、ケース本体２の開放端に当接する第２シール部３４としてほぼ直角に折り曲げられており、断面Ｌ字状に形成されている。
【００５５】
図４に示すように、フレーム３１の先端部には、伸縮性シート３３が電子機器Ｅによって引き延ばされた際に、伸縮性シート３３に応力集中が生じないようにするためのテーパ面３１１が形成されている。
【００５６】
第２シール部３４は、フレーム３１の一部を凹んで形成された第２シール溝３４１と、第２シール溝３４１に沿って嵌合される第２シールリング３４２とを備えている。第２シール溝３４１は、ケース本体２の開放端縁に対向するように環状に形成されている。
【００５７】
第２シールリング３４２は、例えばゴムパッキンなどのシール材からなり、第２シール溝３４１に沿って嵌合される扁平なリング状に形成されている。この例において、第２シールリング３４２は、ゴムパッキンからなるが、例えばシリコンシーラントなどを第２シール溝３４１内に充填したものであってもよく、密閉収納室２２内への水の浸入を防止する構造が形成されれば、仕様に応じて任意に選択されてよい。
【００５８】
操作窓３２は、密閉収納室２２の開口面積とほぼ同じ開口面積を有する開口部からなり、この例では四角形状に開口されている。この操作窓３２を塞ぐように伸縮性シート３３が設けられている。
【００５９】
この例において、操作パネルには、伸縮性シート３３が用いられている。伸縮性シート３３は、例えばシリコンラバーなどの伸縮性を有するシート材からなり、操作窓３２に所定の張力となるように張設されている。この例において、伸縮性シート３３は、保持枠３５によって支持されている。
【００６０】
この例において、伸縮性シート３３は、シリコンラバーが用いられているが、これ以外にも引張変形に対して柔軟に追従でき、かつ、塑性変形しない材質であれば、その材質は仕様に応じて任意に変更されてよい。
【００６１】
また、上述した伸縮性シート３３に代えて、硬質パネル材が用いられてもよい。すなわち、例えばポリカーボネイトやアクリルなどの硬質樹脂板で操作パネルを形成してもよい。
【００６２】
ここで、単なる硬質パネルを用いた場合には、感圧式タッチパネルを備える電子機器Ｅは操作することはできないが、静電式タッチパネルを備えた電子機器Ｅの場合は、導電性部材を添加した硬質パネルを電子機器Ｅのタッチパネルに密着させることで、操作することができる。
【００６３】
保持枠３５は、第２シール部３４に沿って嵌合される矩形状の枠体であって、そこに伸縮性シート３３が、ヒートシールなどによって一体的に張設されている。この例において、保持枠３５は、エラストマー樹脂からなるが、保持枠３５の材質は仕様に応じて任意に選択されてよい。なお、伸縮性シート３３と保持枠３５とは同一素材で形成されていてもよいし、さらにそれらを一体成形してもよい。
【００６４】
この例において、保持枠３５はエラストマー樹脂から形成されているが、ケース本体２の端縁と当接する側の面に、例えばシリコン樹脂などのシーリング処理を行うことで、保持枠３５がシーリング部材として機能するようにしてもよい。これによれば、上述した第２シールリング３４２を用いることなく、シーリングすることができる。
【００６５】
ケースカバー３は、ケース本体２の上部側でヒンジ部４を介して回動可能に連結されており、ヒンジ部４を挟んで反対側には、ケース本体２にケースカバー３を密閉した状態でロックするためのロック手段５が設けられている。
【００６６】
図６を参照して、ロック手段５は、いわゆるパチン錠であって、係止フック５１と、係止フック５１が係合される係止溝５２とからなる。この例において、係止フック５１はケース本体２側に設けられており、係止溝５２はケースカバー３側に設けられている。
【００６７】
係止フック５１は、所定の回動軸を中心に回動可能なアーム部５１１を備え、アーム部５１１の先端に設けられたフック部５１２を係止溝５２に嵌合させることにより、ケースカバー３がケース本体２側に密着した状態で固定されるようになっている。
【００６８】
この例において、ロック手段５は、パチン錠によって構成されているが、これ以外のロック方法が用いられてもよく、ケース本体２とケースカバー３とが２箇所のシール部２７，３４によって密着シールされた状態を維持することが可能であれば、その他の態様も本発明に含まれる。
【００６９】
次に、この電子機器収納ケース１（スピーカ）の使用手順の一例について説明する。使用は至って簡単であり、まず図２に示すように、ケースカバー３を開いた状態で、密閉収納室２２内に電子機器Ｅを載置する。併せて、密閉収納室２２内に設けられた図示しない接続コネクタを電子機器Ｅのイヤホンジャックに差し込む。
【００７０】
次に、ケースカバー３をケース本体２に被せるように取り付けたのち、最後に、ロック手段５でロックする。これによれば、図９（ａ）に示すように、密閉収納室２２の載置面と伸縮性シート３３との距離Ｌは、電子機器Ｅの厚さＴよりも小さく（Ｌ＜Ｔ）設定されていることにより、電子機器Ｅは、底板２４と伸縮性シート３３とによって弾性的に挟持される。
【００７１】
その際、伸縮性シート３３の伸長力によって電子機器Ｅが底板２４側に押し付けられることになるが、その押圧力はクッションシート２５が変形することによって許容されるため、伸縮性シート３３が引き延ばされて破損したり、一点に応力が集中して破損したりすることが抑制される。
【００７２】
しかるのち、電子機器Ｅの操作面に沿って密着した伸縮性シート３３を介して電子機器Ｅを操作することで、風呂場などの高湿潤環境においても電子機器Ｅを使用することができる。使用後は、水気を拭き取った後、ロックを解除すれば、ケース本体２から電子機器Ｅを取り出すことができる。
【００７３】
この例において、電子機器収納ケース１は、内部にスピーカユニットを内蔵したスピーカを例に取って説明したが、これ以外にも、例えばマイクロホンや操作用モニター、ボタン、タッチパッドなどの機構を備えたものであってもよく、少なくとも電子機器収納ケースとして機能していれば、その他の変形例も本発明に含まれる。
【符号の説明】
【００７４】
１  電子機器収納ケース（スピーカ）
２  ケース本体
２１  電装品室
２２  密閉収納室
２４  底板
２５  クッションシート
３  ケースカバー
３１  フレーム
３２  開口窓
３３  伸縮性シート（操作パネル）
Ｅ  電子機器
【図１】
0005404583.tif 000002
【図２】
0005404583.tif 000003
【図３】
0005404583.tif 000004
【図４】
0005404583.tif 000005
【図５】
0005404583.tif 000006
【図６】
0005404583.tif 000007
【図７】
0005404583.tif 000008
【図８】
0005404583.tif 000009
【図９】
0005404583.tif 000010